(57)【要約】      （修正有）【課題】照明範囲を広くするＬＥＤ球を提供する。【解決手段】発光ダイオードを直線上に連結して形成されてなるライン発光体５を、少なくとも一つ以上備えるとともに、前記ライン発光体５の一端側から電源部４に導電体を接続して成るＬＥＤ球１とする。ＬＥＤ球によれば、棒状，曲線状若しくは直線状のライン発光体によって照明するので、前方向のみならず横方向、後方向にも照射することが可能となり、広い範囲を明るくすることができる。【選択図】図１
0003166981.tif 000002
【実用新案登録請求の範囲】
【請求項１】
発光ダイオードを直線上に連結して形成されてなるライン発光体を、少なくとも一つ以上備えるとともに、前記ライン発光体の一端側から電源部に導電体を接続して成ること、
を特徴とするＬＥＤ球。
【請求項２】
二つ以上のライン発光体が備えられる場合には、そのライン発光体の他端側は互いに近接して配置されること、若しくは、そのライン発光体の他端側は連結されていること、  
を特徴とする請求項１に記載のＬＥＤ球。
【請求項３】
ライン発光体の電源部に接続する下側の一端部の位置が、前記ライン発光体を囲繞する透明なカバー体の下部の位置よりも上位置にあること、
を特徴とする請求項１または２に記載のＬＥＤ球。
【請求項４】
白熱電球の口金と同じ大きさ及び形状で交換が可能である口金構造であること、
を特徴とする請求項１乃至３のいずれかに記載のＬＥＤ球。
【請求項５】
ライン発光体の起立姿勢を維持する骨格体を、前記ライン発光体の内側で係止させて設けられていること、
を特徴とする請求項１乃至４のいずれかに記載のＬＥＤ球。
【考案の詳細な説明】
【技術分野】
【０００１】
本考案は、発光ダイオード（以下、ＬＥＤ：Light  Emitting  Diodeと称する）を照明に使用した、ＬＥＤ球に関するものである。
【背景技術】
【０００２】
従来、ＬＥＤを発光素子として既存の白熱電球型の形状にしたＬＥＤ球は、例えば、その構成は、電極を有する口金と、該口金に電気的に接続されたプリント基板と、該プリント基板に表面実装された複数個のＬＥＤと、該ＬＥＤを被覆する透明のカバー体となるものが知られている（特許文献１参照）。前記口金は、既存の白熱電球の口金とおなじタイプの大きさ及び形状であって、カバー体も同様に同形状で同じ大きさかそれ以下の小さい大きさであって、容易に白熱電球と交換できるものである。
【先行技術文献】
【特許文献】
【０００３】
【特許文献１】実用新案登録第３１５３７６６号公報（図４）
【考案の概要】
【考案が解決しようとする課題】
【０００４】
しかし、従来のＬＥＤ球は、光源となるＬＥＤが、プリント基板に配設され、照射する方向が、前方向のみで狭い範囲に限られてしまうという課題がある。本考案に係るＬＥＤ球は、このような課題を解決するために提案されたものである。
【課題を解決するための手段】
【０００５】
本考案に係るＬＥＤ球の上記課題を解決して目的を達成するための要旨は、発光ダイオードを直線上に連結して形成されてなるライン発光体を、少なくとも一つ以上備えるとともに、前記ライン発光体の一端側から電源部に導電体を接続して成ることである。
【０００６】
前記ＬＥＤ球において、二つ以上のライン発光体が備えられる場合には、そのライン発光体の他端側は互いに近接して配置されること、若しくは、そのライン発光体の他端側は連結されていることが含まれる。
また、前記ライン発光体の電源部に接続する下側の一端部の位置が、前記ライン発光体を囲繞する透明なカバー体の下部の位置よりも上位置にあることを含み、更に、白熱電球の口金と同じ大きさ及び形状で交換が可能である口金構造であること、そして、前記ライン発光体の起立姿勢を維持する骨格体を、前記ライン発光体の内側で係止させて設けられていることを含むものである。
【考案の効果】
【０００７】
本考案のＬＥＤ球によれば、棒状，曲線状若しくは直線状のライン発光体によって照明するので、前方向のみならず横方向、後方向にも照射することが可能となり、広い範囲を明るくすることができる。
ライン発光体の他端部を連結することで、構造的にも丈夫になり、外観上においても見栄えが良くなる。
前記ライン発光体の電源部に接続する下側の一端部の位置が、前記ライン発光体を囲繞する透明なカバー体の下部の位置よりも上位置にあることによって、ＬＥＤ球の後方も照明することが出来るようになり、広い範囲を明るくする。
また、白熱電球の口金と同じ大きさ及び形状で交換が可能である口金構造であるので、容易に既存の白熱電球と交換することができる。更に、前記ライン発光体の起立姿勢を維持する骨格体を、前記ライン発光体の内側で係止させて設けられているので、骨格がしっかりとして運搬時や使用時において衝撃に強くなる。
【図面の簡単な説明】
【０００８】
【図１】本考案に係るＬＥＤ球１の斜視図である。
【図２】同本考案の他の実施例に係るＬＥＤ球１ａの斜視図である。
【図３】同骨格体の使用状態を示す斜視図（Ａ）と、他の骨格体の使用状態を示す斜視図（Ｂ）とである。
【考案を実施するための形態】
【０００９】
本考案に係るＬＥＤ球１は、発光ダイオード（ＬＥＤ）を直線上に連結して形成されてなるライン発光体５を、少なくとも一つ以上備えるものである。
【実施例１】
【００１０】
図１に示すように、前記ＬＥＤ球１は、発光ダイオード（ＬＥＤ）を直線上に連結して形成されてなるライン発光体５を、少なくとも一つ以上備え、前記ライン発光体５の一端側から電源部４に導電体を接続して成るものである。
【００１１】
前記ライン発光体５は、プリント基板とそれに実装するＬＥＤとを一つの単位としてそれを複数個で電気的に直列に接続し、これらを絶縁性の合成樹脂で一体に封止したものであり、可撓性を有する棒体である。
【００１２】
前記ライン発光体５を、図１に示すように、円弧状に曲げてその一端部から電極を出しそれを電源部４にハンダ付けして固定する。また、二つ以上の例えば４個のライン発光体５が備えられる場合には、そのライン発光体５の他端側は互いに近接して配置され、若しくは、そのライン発光体５の他端側（図１で上部）は連結されている。この連結には、合成樹脂製の嵌合体を用いたり、金属線で連結したりするものである。
【００１３】
図１に示すように、このＬＥＤ球１では、ライン発光体５の電源部４に接続する下側の一端部の位置（図中で示すａ位置）が、前記ライン発光体５を囲繞する透明なカバー体６の下部の位置（図中のｂ位置）よりも上位置にある。これにより、ＬＥＤの光源からでる光が、矢印ｃや矢印ｄに示すように、ＬＥＤ球１の後方まで照明することができるのである。
【００１４】
前記カバー体６には、図１に示すように、放熱のために外部に連通する放熱孔６ａ，６ｂが設けられている。図示する状態で使用する場合と、上下逆にして使用する場合で、空気の流れが逆となる。また、この放熱孔を丸，四角，細長い四角や三角の形状にして、それを多数・多様に配置することで、意匠上でデザイン性を高めるようにしても良い。
【００１５】
また、連結体３は、前記電源部４を保持するとともに、前記カバー体６と口金２とに介在して連結するものである。これは、硬質の合成樹脂製のものが使用される。なお、この連結体３と、前記カバー体６とを固着することもできるが、他方、互いをネジ結合して、当該カバー体６を着脱自在にすることもできる。半透明のカバー体６を取り外して使用するれば、一時的に明るくして使用することができる。このＬＥＤ球１を他の部材で囲繞して間接照明にして使用するものであれば、カバー体６がないことで放熱的にも効果があるし、照度を向上させることができる。
【００１６】
また、ＬＥＤ球１の口金２は、既存の白熱電球の口金と同じ大きさ及び形状で交換が可能である口金構造である。これにより、いつでも、白熱球と交換することが出来る。
【実施例２】
【００１７】
更に、図２に示すように、透明なガラスや半透明の合成樹脂で形成されるカバー体６の形状も、長手方向に細長くして、このカバー体６の形状に沿って、前記ライン発光体５を形成するものである。ライン発光体５は、可撓性を有するので、直線，曲線の複雑な形状に追従することができ、また、変形後の形状を維持することができるからである。
【実施例３】
【００１８】
他の実施例として、図３（Ａ），（Ｂ）に示すように、ライン発光体５の起立姿勢を維持する骨格体７を、前記ライン発光体５の内側で係止させて設けられているものである。この骨格体７は、例えば、アルミニウム製として放熱を兼ねるものであったり、合成樹脂製のものであったりする。この骨格体７によって、ＬＥＤ球１の搬送時や使用時において、外部からの衝撃に強くなるものである。
【産業上の利用可能性】
【００１９】
本考案に係るＬＥＤ球は、既存の白熱電球が使用できるところに広く使用することができる。
【符号の説明】
【００２０】
１          ＬＥＤ球、
２          口金、
３          連結体、
４          電源部、
５          ライン発光体、                  ５ａ        ＬＥＤ、  
６          カバー体、
６ａ，６ｂ  放熱孔、
７          骨格体。
【図１】
0003166981.tif 000003
【図２】
0003166981.tif 000004
【図３】
0003166981.tif 000005